(57)【要約】【課題】コスト増加を伴うことなくナットリテーナを廃止する。【解決手段】本発明の端子台１０は、端子台ハウジング２０と、端子台ハウジング２０に陥没して設けられ、第１の方向Ｄ１から装着されたナットＮを回り止め状態に保持するナット収容凹部２７と、ナット収容凹部２７と連通し、同ナット収容凹部２７よりも端子台ハウジング２０の外面側に設けられた大バスバー装着部２３と、第１の方向Ｄ１と交差する第２の方向Ｄ２から大バスバー装着部２３に装着されることでナットＮをナット収容凹部２７内に保持する大バスバー３０と、大バスバー装着部２３に設けられ、同バスバー装着部２３にある大バスバー３０が第１の方向Ｄ１とは反対方向へ移動することを規制する大バスバー押さえ２３Ｂと、大バスバー装着部２３に設けられ、同バスバー装着部２３にある大バスバー３０が第２の方向Ｄ２とは反対方向へ移動することを規制する係止片２８とを備える。【選択図】図１
2011108411.tif 000002
【特許請求の範囲】
【請求項１】
端子台ハウジングと、
前記端子台ハウジングに陥没して設けられ、第１の方向から装着されたナットを回り止め状態に保持するナット収容凹部と、
前記ナット収容凹部と連通し、同ナット収容凹部よりも前記端子台ハウジングの外面側に設けられたバスバー装着部と、
前記第１の方向と交差する第２の方向から前記バスバー装着部に装着されることで前記ナットを前記ナット収容凹部内に保持するバスバーと、
前記バスバー装着部に設けられ、同バスバー装着部にある前記バスバーが前記第１の方向とは反対方向へ移動することを規制する第１規制部と、
前記バスバー装着部に設けられ、同バスバー装着部にある前記バスバーが前記第２の方向とは反対方向へ移動することを規制する第２規制部とを備える端子台。
【請求項２】
端子が前記バスバーに対してボルト締結されるようになっており、
前記バスバーは、前記端子またはこの端子に接続された電線を迂回するように曲げ形成されていることを特徴とする請求項１に記載の端子台。
【請求項３】
前記第１規制部は、前記第１の方向と前記第２の方向の双方に交差する方向に延びて設けられていることを特徴とする請求項１または請求項２に記載の端子台。
【請求項４】
前記第１規制部は、前記バスバーの側縁に沿って同バスバーの長手方向に配置された一対の側壁を連結することにより前記バスバーを全周に亘って覆う形態とされていることを特徴とする請求項３に記載の端子台。
【請求項５】
前記第２規制部は、前記バスバー装着部において前記第１規制部と対向する位置に設けられていることを特徴とする請求項１ないし請求項４のいずれか一項に記載の端子台。
【発明の詳細な説明】
【技術分野】
【０００１】
本発明は、端子台に関する。
【背景技術】
【０００２】
従来、端子を接続するための端子台として、端子台ハウジングにナットを収容するナット収容部を設けたものが知られている。このような端子台においては、ナットを抜け止めするためのナットリテーナを設けることが行われているものの、ナットリテーナを設けると、部品点数が多くなってコスト増加につながるため、ナットリテーナを廃止することが望ましい。そこで、下記特許文献１の端子台では、バスバーの下面にナットが固定されており、これによってナットリテーナを廃止できるようになっている。
【先行技術文献】
【特許文献】
【０００３】
【特許文献１】特開２００３−２２９１０６号公報
【発明の概要】
【発明が解決しようとする課題】
【０００４】
しかしながら、ナットリテーナをバスバーの下面に固定するには、溶接加工によってナットリテーナをバスバーに固定する工程、あるいは接着剤によってナットリテーナをバスバーに固定する工程が必要となるため、工程追加によるコスト増加が発生してしまう。
【０００５】
本発明は上記のような事情に基づいて完成されたものであって、コスト増加を伴うことなくナットリテーナを廃止することを目的とする。
【課題を解決するための手段】
【０００６】
本発明の端子台は、端子台ハウジングと、端子台ハウジングに陥没して設けられ、第１の方向から装着されたナットを回り止め状態に保持するナット収容凹部と、ナット収容凹部と連通し、同ナット収容凹部よりも端子台ハウジングの外面側に設けられたバスバー装着部と、第１の方向と交差する第２の方向からバスバー装着部に装着されることでナットをナット収容凹部内に保持するバスバーと、バスバー装着部に設けられ、同バスバー装着部にあるバスバーが第１の方向とは反対方向へ移動することを規制する第１規制部と、バスバー装着部に設けられ、同バスバー装着部にあるバスバーが第２の方向とは反対方向へ移動することを規制する第２規制部とを備える構成としたところに特徴を有する。
【０００７】
このような構成によると、バスバーをバスバー装着部に装着することによってナットがナット収容凹部内に保持される。このバスバーは、第１規制部によって第１の方向とは反対方向へ移動することが規制され、かつ、第２規制部によって第２の方向とは反対方向へ移動することが規制されているため、バスバーをバスバー装着部内に保持できる。このため、ナットをナット収容凹部内に確実に保持できる。したがって、コスト増加を伴うことなくナットリテーナを廃止することができる。
【０００８】
本発明の実施の態様として、以下の構成が好ましい。
端子がバスバーに対してボルト締結されるようになっており、バスバーは、端子またはこの端子に接続された電線を迂回するように曲げ形成されている構成としてもよい。
このような構成によると、バスバーを曲げ形成することで、バスバーと端子の干渉またはバスバーと電線の干渉を回避できる。
【０００９】
第１規制部は、第１の方向と第２の方向の双方に交差する方向に延びて設けられている構成としてもよい。
このような構成によると、複数のバスバーを並べて配置した場合に、これらのバスバーを横切るようにして第１規制部を形成できる。
【００１０】
第１規制部は、バスバーの側縁に沿って同バスバーの長手方向に配置された一対の側壁を連結することによりバスバーを全周に亘って覆う形態とされている構成としてもよい。
このようにすると、バスバーを全周に亘って覆う形態とされているから、第１規制部の剛性を高めることができる。
【００１１】
第２規制部は、バスバー装着部において第１規制部と対向する位置に設けられている構成としてもよい。
このような構成によると、第１規制部と第２規制部を集中して配置することができ、その他の部分にボルト締結部を配置しやすくなる。
【発明の効果】
【００１２】
本発明によれば、コスト増加を伴うことなくナットリテーナを廃止することができる。
【図面の簡単な説明】
【００１３】
【図１】実施形態の端子台の斜視図
【図２】端子台の正面図
【図３】端子台の平面図
【図４】端子台の右側面図
【図５】端子台の左側面図
【図６】端子台の背面図
【図７】図２におけるＡ−Ａ線断面図
【図８】図２におけるＢ−Ｂ線断面図
【発明を実施するための形態】
【００１４】
＜実施形態＞
本発明の実施形態を図１ないし図８の図面を参照しながら説明する。本実施形態における端子台１０は、図１に示すように、略方形のブロック状をなす端子台ハウジング２０を有している。端子台ハウジング２０には、大小２つのバスバーが装着されており、以下においては大きい方のバスバーを大バスバー３０とし、小さい方のバスバーを小バスバー４０とする。なお、以下の説明において上下方向および左右方向については図２を基準とする。
【００１５】
端子台１０には、ボルト締結部１１が上下方向に４つ並んで配置され、この４つのボルト締結部１１が左右方向に２列並んで配置されている。各ボルト締結部１１には、ボルトＢが締結されており、このボルトＢの頭部と各バスバー３０，４０との間に丸端子５０が挟まれた状態となって締結されている。
【００１６】
小バスバー４０は、図２に示す正面図の図示左側に開口する略門形をなしている。一方、大バスバー３０は、小バスバー４０よりも一回り大きい形態をなしている。大バスバー３０は、小バスバー４０と同様、左側に開口する略門形をなして打ち抜いた後、その右側部分３１を端子台１０の背面側に略直角に折り曲げることによって形成されている。
【００１７】
すなわち、大バスバー３０の右側部分３１は、図１に示すように、小バスバー４０にボルト締結された丸端子５０を迂回するようにして端子台１０の背面側に曲げ形成されている。この結果、大バスバー３０の右側部分３１を除く上下両側には、一対の締結部分３２が形成されている。両締結部分３２は、図４または図５に示すように、小バスバー４０と同一平面上に配置され、大バスバー３０の左右寸法は、図２に示すように、小バスバー４０の左右寸法とほぼ同じとされている。
【００１８】
端子台ハウジング２０の正面には、小バスバー４０を装着する小バスバー装着部２１が凹設されている。小バスバー装着部２１を構成する上下両側には、リブ状をなす一対の隔壁２２が形成されている。両隔壁２２は、小バスバー４０の側縁に沿って左右方向に延びる形態とされている。両隔壁２２間の距離は、小バスバー４０の上下寸法とほぼ同じとされている。このため、小バスバー４０の上下両側縁を両隔壁２２に沿わせるようにして小バスバー４０を端子台１０の右側から左側に挿入することにより、小バスバー４０が小バスバー装着部２１に装着可能とされている。なお、以下の説明において端子台１０の右側から左側に向かう方向を第２の方向Ｄ２という。
【００１９】
一方、端子台ハウジング２０の正面から右側面に亘る範囲には、大バスバー３０を装着する大バスバー装着部２３が凹設されている。大バスバー装着部２３の周縁部には、大バスバー３０の外周縁に沿うリブ状の周壁が設けられている。この周壁のうち端子台１０の正面側において左右方向に延びる４つの周壁を案内壁２４という。上側に位置する両案内壁２４間の距離は、大バスバー３０の締結部分３２の上下寸法とほぼ同じとされ、下側に位置する両案内壁２４間の距離は、大バスバー３０の締結部分３２の上下寸法とほぼ同じとされている。このため、大バスバー３０の両締結部分３２の上下両側縁を各案内壁２４に沿わせるようにして大バスバー３０を第２の方向Ｄ２に挿入することにより、大バスバー３０が大バスバー装着部２３に装着可能とされている。
【００２０】
端子台ハウジング２０の左側面には、図２または図６に示すように、端子識別部２５が左側に張り出し形成されている。端子識別部２５は、上下方向に並んで４つ設けられ、形状の異なる２種類の丸端子５０に対応しており、形状の異なる２種類の端子識別部で構成されている。上下両側に位置する一対の端子識別部２５は、短尺の丸端子５０に対応しており、中央に位置する一対の端子識別部２５は、長尺の丸端子５０に対応している。これにより、長尺の丸端子５０と短尺の丸端子５０の誤組防止が図られている。
【００２１】
端子台ハウジング２０の背面には、図３に示すように、機器側（図示せず）に対する取付部２６が張り出し形成されている。取付部２６には、一対の取付孔２６Ａが上下方向に貫通形成されており、両取付孔２６Ａにボルト（図示せず）を挿通して機器側に対してボルト締結することにより、端子台１０が機器側に固定されるようになっている。
【００２２】
各バスバー装着部２１，２３において各バスバー３０，４０が装着される装着面２１Ａ，２３Ａには、図７または図８に示すように、ナットＮを回り止め状態に保持するナット収容凹部２７が陥没して設けられている。すなわち、ナット収容凹部２７は、装着面２１Ａ，２３Ａ側に開口する凹形状をなすとともに、ナットＮの外周面に適合する周面を備えて構成されている。このため、ナットＮがナット収容凹部２７に対して端子台１０の正面側から背面側に向かう方向に装着されると、ナットＮの外周面とナット収容凹部２７の周面とが係止することにより、ナットＮの回り止めがなされる。なお、以下の説明において端子台１０の正面側から背面側に向かう方向を第１の方向Ｄ１という。
【００２３】
各ナット収容凹部２７内に各ナットＮが第１の方向Ｄ１から収容された後に、各バスバー３０，４０が第２の方向Ｄ２から各バスバー装着部２１，２３に装着されると、各バスバー３０，４０が各ナットＮの装着経路上に配置されるため、各ナットＮが各ナット収容凹部２７内に保持される。
【００２４】
大バスバー装着部２３の両案内壁２４の間には、大バスバー３０が第１の方向Ｄ１とは反対方向に移動することを規制する大バスバー押さえ２３Ｂが架設されている。大バスバー押さえ２３Ｂは、各締結部分３２に対応して一対設けられている。大バスバー押さえ２３Ｂと両案内壁２４と装着面２３Ａとによって大バスバー３０を全周に亘って囲む周壁が構成されている。このため、大バスバー押さえ２３Ｂの剛性は高くなっている。これにより、大バスバー３０が第１の方向Ｄ１とは反対方向に移動することを確実に規制可能としている。
【００２５】
一方、小バスバー装着部２１の両隔壁２２の間には、小バスバー押さえ２１Ｂが架設されている。小バスバー押さえ２１Ｂと両隔壁２２と装着面２１Ａとによって小バスバー４０を全周に亘って囲む周壁が構成されている。このため、小バスバー押さえ２１Ｂの剛性は高くなっている。これにより、小バスバー４０が第１の方向Ｄ１とは反対方向に移動することを確実に規制可能としている。
【００２６】
一対の大バスバー押さえ２３Ｂは、上下方向（第１の方向Ｄ１と第２の方向Ｄ２の双方に直交する方向）に並ぶ配置で、かつ、端子台ハウジング２０の左右方向中央に配置されている。また、小バスバー押さえ２１Ｂは、大バスバー押さえ２３Ｂと同幅で、かつ、上下方向に並んで配置されている。このため、各バスバー押さえ２１Ｂ，２３Ｂを、各バスバー３０，４０の締結部分３２，４２を横切るようにして上下方向に延びる配置で形成することができる。これにより、各バスバー押さえ２１Ｂ，２３Ｂの構成を簡素化することができ、各バスバー押さえ２１Ｂ，２３Ｂを形成しやすくなる。なお、大バスバー押さえ２３Ｂおよび小バスバー押さえ２１Ｂは、本発明の第１規制部に相当する。
【００２７】
小バスバー装着部２１の装着面２１Ａにおける左右方向中央には、図７に示すように、係止片２８が設けられている。係止片２８は、第１の方向Ｄ１に撓み可能とされており、小バスバー４０に貫通形成された係止孔４１に対して左右方向に係止可能とされている。係止片２８は、小バスバー４０のうち左右方向に延びる上下一対の締結部分４２に対応して一対設けられている。したがって、係止孔４１についても両締結部分４２に対応して一対設けられている。このため、両係止片２８が両係止孔４１に係止することにより、小バスバー４０が第２の方向Ｄ２とは反対方向に移動することが規制される。
【００２８】
さらに、大バスバー装着部２３の装着面２３Ａにも、係止片２８が設けられている。係止片２８は、上下一対の締結部分３２に対応して一対設けられている。また、大バスバー３０の両締結部分３２には、両係止片２８に係止可能な一対の係止孔３３が貫通形成されている。両係止片２８は、両係止孔３３に対して左右方向に係止可能とされている。このため、両係止片２８が両係止孔３３に係止することにより、大バスバー３０が第２の方向Ｄ２とは反対方向に移動することが規制される。なお、各係止片２８は、本発明の第２規制部に相当する。
【００２９】
各係止片２８は、各バスバー押さえ２１Ｂ，２３Ｂと対向して配置されている。このため、各係止片２８と各バスバー押さえ２１Ｂ，２３Ｂを集中して配置することができる。また、各バスバー押さえ２１Ｂ，２３Ｂの左右両側に各ボルト締結部１１が配置されている。このようにすると、各バスバー押さえ２１Ｂ，２３Ｂの左右両側から各丸端子５０を配置することができ、各丸端子５０に接続された各電線を交差しないように引き出し可能となる。
【００３０】
また、各バスバー押さえ２１Ｂ，２３Ｂにおいて各係止孔３３，４１と対応する位置には、各係止片２８と各係止孔３３，４１との係止状態を解除可能とする解除治具（図示せず）を挿入するための治具挿入口２１Ｃ，２３Ｃが開設されている。これらの治具挿入口２１Ｃ，２３Ｃは、各係止片２８と各係止孔３３，４１との係止状態を確認するための確認窓としても機能している。
【００３１】
なお、両バスバー３０，４０が両バスバー装着部２１，２３に装着された状態は仮係止状態であって、各ボルト締結部１１にボルトＢを締結することによって両バスバー３０，４０が両バスバー装着部２１，２３に本係止状態で固定される。すなわち、端子台１０に丸端子５０をセットした後に、ボルト締結を行うと、ボルトＢがナットＮと螺合し、ボルトＢとナットＮとの間で両バスバー３０，４０の締結部分３２，４２と丸端子５０とが挟持される。
【００３２】
本実施形態は以上のような構成であって、続いて端子台１０の使用方法を説明する。まず、端子台ハウジング２０の各ナット収容凹部２７に対して各ナットＮを第１の方向Ｄ１に装着していく。全てのナットＮを装着した後に、両バスバー装着部２１，２３に対して両バスバー３０，４０を第２の方向Ｄ２に装着する。すると、各ナットＮは、両バスバー３０，４０によって抜け止めされ、各ナット収容凹部２７内に保持される。また、両バスバー３０，４０は、各係止孔３３，４１に各係止片２８が係止することにより、第２の方向Ｄ２とは反対方向に移動することが規制される。さらに、両バスバー３０，４０は、各バスバー押さえ２１Ｂ，２３Ｂによって第１の方向Ｄ１とは反対方向に移動することが規制される。こうして、両バスバー３０，４０は両バスバー装着部２１，２３内に保持され、ボルト締結部１１全体として仮係止状態に保持される。
【００３３】
次に、例えばバッテリ（図示せず）に直結された＋側と−側からなる一対の丸端子５０を図２の左下に配置された一対のボルト締結部１１に対して接続する。各ボルト締結部１１に対して各丸端子５０を配置し、ボルトＢを締め込むことにより各丸端子５０と各バスバー３０，４０とがボルト締結される。これにより、ボルト締結部１１全体として本係止状態に保持される。例えば、一番下のボルト締結部１１に＋側の丸端子５０を接続した場合には、大バスバー３０を通じて図示右下のボルト締結部１１と図示右上のボルト締結部１１と図示左上のボルト締結部１１に対して＋側の電力が供給される。一方、中央に位置する４つのボルト締結部１１は、左側の下から２番目のボルト締結部１１に接続された丸端子５０を通じてバッテリの−側（あるいはボディアース）に接続される。
【００３４】
上記した端子台１０が搭載される車両としては、例えば冷凍運搬用のトラックなどが挙げられ、この端子台１０に接続される各装置としては、例えば冷凍装置、インバータ、コンプレッサなどが挙げられる。この場合、コンプレッサの＋側の丸端子５０を図２に右下のボルト締結部１１に接続し、−側の丸端子５０を右側の下から２番目のボルト締結部１１に接続すればよい。また、冷凍装置の＋側の丸端子５０を右上のボルト締結部１１に接続し、−側の丸端子５０を右側の上から２番目のボルト締結部１１に接続すればよい。同様に、インバータの＋側の丸端子５０を左上のボルト締結部１１に接続し、−側の丸端子５０を左側の上から２番目のボルト締結部１１に接続すればよい。こうして、バッテリからの電力が端子台１０を介して各機器に分配され、供給される。
【００３５】
以上のように本実施形態では、各ナットＮの装着方向である第１の方向Ｄ１と両バスバー３０，４０の装着方向である第２の方向Ｄ２とが互いに交差するようにしたから、両バスバー３０，４０によって各ナットＮを各ナット収容凹部２７内に保持することができ、ナットリテーナを廃止することができた。また、両バスバー３０，４０を両バスバー押さえ２１Ｂ，２３Ｂによって第１の方向Ｄ１とは反対方向へ移動することを規制し、両バスバー３０，４０を各係止片２８によって第２の方向Ｄ２とは反対方向へ移動することを規制したから、両バスバー３０，４０を両バスバー装着部２１，２３内に保持することができる。
【００３６】
また、大バスバー３０の右側部分３１を端子台ハウジング２０の背面側に曲げ形成することにより、大バスバー３０の右側部分３１と丸端子５０との干渉を回避することができる。また、各バスバー押さえ２１Ｂ，２３Ｂを上下方向に延びる形態としたから、各バスバー３０，４０を横切るようにして各バスバー押さえ２１Ｂ，２３Ｂを形成でき、各バスバー押さえ２１Ｂ，２３Ｂの構成を簡素化できる。
【００３７】
また、小バスバー押さえ２１Ｂが両隔壁２２間に架設され、大バスバー押さえ２３Ｂが両案内壁２４間に架設されているから、両バスバー３０，４０を全周に亘って囲む形態となり、各バスバー押さえ２１Ｂ，２３Ｂの剛性を高めることができる。また、各係止片２８を各バスバー押さえ２１Ｂ，２３Ｂと対向して配置したから、各係止片２８と各バスバー押さえ２１Ｂ，２３Ｂを集中して配置することができ、各バスバー押さえ２１Ｂ，２３Ｂの左右両側にボルト締結部１１を配置することができ、各丸端子５０に接続された各電線を交差しないように引き出すことができる。
【００３８】
＜他の実施形態＞
本発明は上記記述及び図面によって説明した実施形態に限定されるものではなく、例えば次のような実施形態も本発明の技術的範囲に含まれる。
（１）上記実施形態では大きさの異なる大バスバー３０と小バスバー４０の双方を設けているものの、本発明によると、両バスバー３０，４０をいずれも同じ大きさとしてもよい。
（２）上記実施形態では大バスバー３０のみを曲げ形成しているものの、本発明によると、小バスバー４０についても曲げ形成してもよいし、あるいは、両バスバー３０，４０を曲げ形成しなくてもよい。
【００３９】
（３）上記実施形態では各バスバー押さえ２１Ｂ，２３Ｂが上下方向に延びる形態とされているものの、本発明によると、各バスバー押さえ２１Ｂ，２３Ｂが左右方向に延びる形態とされ、両バスバー３０，４０の締結部分３２，４２の側縁部のみを押さえる構成としてもよい。
（４）上記実施形態では両バスバー３０，４０を全周に亘って覆う形態で両バスバー押さえ２１Ｂ，２３Ｂを形成しているものの、本発明によると、両バスバー３０，４０の全周を覆うことなく両側縁部のみを押さえる構成としてもよい。
【００４０】
（５）上記実施形態では各係止片２８が各バスバー押さえ２１Ｂ，２３Ｂと対向する位置に設けられているものの、本発明によると、各係止片２８を各バスバー押さえ２１Ｂ，２３Ｂと対向しない位置に設けてもよい。
【符号の説明】
【００４１】
１０…端子台
２０…端子台ハウジング
２１…小バスバー装着部
２１Ｂ…小バスバー押さえ（第１規制部）
２２…隔壁（側壁）
２３…大バスバー装着部
２３Ｂ…大バスバー押さえ（第１規制部）
２４…案内壁（側壁）
２７…ナット収容凹部
２８…係止片（第２規制部）
３０…大バスバー
４０…小バスバー
５０…丸端子
Ｎ…ナット
Ｄ１…第１の方向
Ｄ２…第２の方向
【図１】
2011108411.tif 000003
【図２】
2011108411.tif 000004
【図３】
2011108411.tif 000005
【図４】
2011108411.tif 000006
【図５】
2011108411.tif 000007
【図６】
2011108411.tif 000008
【図７】
2011108411.tif 000009
【図８】
2011108411.tif 000010